(57)【要約】【課題】肌表面との摩擦力を低減させつつ、体毛を確実に短く剃ることができる電気かみそりを得る。【解決手段】本発明に係る電気かみそり１は、体毛を剃る刃部４と、刃部４で体毛を剃る際に肌表面Ｓに接触しつつ回転軸１１を中心として回転可能な回転体１０と、を備えている。そして、回転体１０が回転することで回転体１０の頂面１０ｂの最高点１０ａが回転軸１１方向に移動するようにした。【選択図】図６
2014023742.tif 000002
【特許請求の範囲】
【請求項１】
体毛を剃る刃部と、
前記刃部で体毛を剃る際に肌表面に接触しつつ回転軸を中心として回転可能な回転体と、
を備え、
前記回転体は、回転することで頂面の最高点が前記回転軸方向に移動することを特徴とするかみそり器。
【請求項２】
前記回転体が複数設けられていることを特徴とする請求項１に記載の電気かみそり。
【請求項３】
１つの前記回転体に、回転することで互いに逆方向に移動する複数の前記最高点が形成されていることを特徴とする請求項１または請求項２に記載の電気かみそり。
【請求項４】
１つの前記回転軸の表面に螺旋溝が形成されており、前記螺旋溝は、前記回転軸方向と交差する面に対して鏡面対称となるように形成されていることを特徴とする請求項１または請求項２に記載の電気かみそり。
【請求項５】
１つの前記回転体は、前記回転軸と直交する方向から視た形状が前記回転軸に対して非対称であることを特徴とする請求項１〜４のうちいずれか１項に記載の電気かみそり。
【請求項６】
１つの前記回転体の前記頂面は、前記回転軸方向一端を最高点とした状態で、前記回転軸方向他端側に向かうにつれて徐々に高さが低くなることを特徴とする請求項１〜５のうちいずれか１項に記載の電気かみそり。
【発明の詳細な説明】
【技術分野】
【０００１】
本発明は、電気かみそりに関する。
【背景技術】
【０００２】
従来、電気かみそりとして、体毛を剃る刃部と、当該刃部で体毛を剃る際に肌表面に接触しつつ回転可能な皮膚張り部材とを備えるものが知られている（例えば、特許文献１参照）。
【０００３】
この特許文献１では、刃部が設けられたヘッド部の両側部から突出するように皮膚張り部材を設け、刃部により体毛を剃る際には、この皮膚張り部材によってヘッド部が当たる部位の皮膚を引っ張ることで体毛を起毛させて深剃りを行えるようにしている。
【先行技術文献】
【特許文献】
【０００４】
【特許文献１】特開平７−００８６４３号公報
【発明の概要】
【発明が解決しようとする課題】
【０００５】
しかしながら、上記従来の技術では、皮膚張り部材が電気かみそりの剃り方向両端に設けられているため、刃部により体毛を剃る際に、皮膚が剃り方向に引っ張られることとなる。そのため、電気かみそり使用時の剃り方向の摩擦抵抗が増大してしまい、スムースに体毛を剃ることができないという問題がある。
【０００６】
そこで、本発明は、よりスムースに深剃りすることのできる電気かみそりを得ることを目的とする。
【課題を解決するための手段】
【０００７】
本発明の第１の特徴は、体毛を剃る刃部と、前記刃部で体毛を剃る際に肌表面に接触しつつ回転軸を中心として回転可能な回転体と、を備え、前記回転体は、回転することで頂面の最高点が前記回転軸方向に移動することを要旨とする。
【０００８】
本発明の第２の特徴は、前記回転体が複数設けられていることを要旨とする。
【０００９】
本発明の第３の特徴は、１つの前記回転体に、回転することで互いに逆方向に移動する複数の前記最高点が形成されていることを要旨とする。
【００１０】
本発明の第４の特徴は、１つの前記回転軸の表面に螺旋溝が形成されており、前記螺旋溝は、前記回転軸方向と交差する面に対して鏡面対称となるように形成されていることを要旨とする。
【００１１】
本発明の第５の特徴は、１つの前記回転体は、前記回転軸と直交する方向から視た形状が前記回転軸に対して非対称であることを要旨とする。
【００１２】
本発明の第６の特徴は、１つの前記回転体の前記頂面は、前記回転軸方向一端を最高点とした状態で、前記回転軸方向他端側に向かうにつれて徐々に高さが低くなることを特徴とする。
【発明の効果】
【００１３】
本発明によれば、回転体が回転することで当該回転体の頂面の最高点が回転軸方向に移動するようにしている。そのため、電気かみそり使用時に回転体が肌に当接して回転すると、回転体の肌との当接部（頂面の最高点）が回転軸方向に移動し、肌が頂面の最高点の移動に追従して回転軸方向に移動することとなる。このように、肌を回転軸方向に移動させることで、剃り方向の摩擦抵抗が増大してしまうのを抑制しつつ、体毛を深剃りすることができる。すなわち、本発明によれば、よりスムースに深剃りすることができるようになる。
【図面の簡単な説明】
【００１４】
【図１】本発明の第１実施形態にかかる電気かみそりの全体斜視図である。
【図２】本発明の第１実施形態にかかるヘッド部の斜視図である。
【図３】本発明の第１実施形態にかかるヘッド部の正面図である。
【図４】本発明の第１実施形態にかかる回転体を示す図であって、（ａ）は回転軸方向から視た図、（ｂ）は、回転軸と直交する方向から視た図である。
【図５】本発明の第１実施形態にかかる回転体を示す斜視図であって、（ａ）は一方側から視た斜視図、（ｂ）は他方側から視た斜視図である。
【図６】本発明の第１実施形態にかかる回転体の作用を模式的に示す図であって、（ａ）は所定の状態における回転体を回転軸と直交する方向から視た図、（ｂ）は、所定の状態から９０°回転した状態における回転体を回転軸と直交する方向から視た図である。
【図７】本発明の第２実施形態にかかる回転体を示す図であって、（ａ）は回転軸方向から視た図、（ｂ）は、回転軸と直交する方向から視た図である。
【図８】本発明の第２実施形態にかかる回転体を示す斜視図である。
【図９】本発明の第２実施形態にかかる回転体の作用を模式的に示す図であって、（ａ）は所定の状態における回転体を回転軸と直交する方向から視た図、（ｂ）は、所定の状態から１８０°回転した状態における回転体を回転軸と直交する方向から視た図である。
【図１０】本発明の第３実施形態にかかる回転体を示す図であって、（ａ）は回転軸方向から視た図、（ｂ）は、回転軸と直交する方向から視た図である。
【図１１】本発明の第３実施形態にかかる回転体を示す斜視図である。
【図１２】本発明の第３実施形態にかかる回転体の作用を模式的に示す図であって、（ａ）は所定の状態における回転体を回転軸と直交する方向から視た図、（ｂ）は、所定の状態から１８０°回転した状態における回転体を回転軸と直交する方向から視た図である。
【図１３】本発明の第４実施形態にかかる回転体を示す図であって、（ａ）は回転軸方向から視た図、（ｂ）は、回転軸と直交する方向から視た図である。
【図１４】本発明の第４実施形態にかかる回転体を示す斜視図である。
【図１５】本発明の第４実施形態にかかる回転体の作用を模式的に示す図であって、（ａ）は所定の状態における回転体を回転軸と直交する方向から視た図、（ｂ）は、所定の状態から１８０°回転した状態における回転体を回転軸と直交する方向から視た図である。
【図１６】本発明の第５実施形態にかかる回転体を示す図であって、（ａ）は回転軸方向から視た図、（ｂ）は、回転軸と直交する方向から視た図である。
【図１７】本発明の第５実施形態にかかる回転体を示す斜視図である。
【図１８】本発明の第５実施形態にかかる回転体の作用を模式的に示す図であって、（ａ）は所定の状態における回転体を回転軸と直交する方向から視た図、（ｂ）は、所定の状態から１８０°回転した状態における回転体を回転軸と直交する方向から視た図である。
【発明を実施するための形態】
【００１５】
以下、本発明の実施形態について図面を参照しつつ詳細に説明する。なお、以下では、複数の外刃が並設される方向を前後方向（剃り方向）Ｘ、各外刃が延在する方向を左右方向Ｙ、外刃が上方を向くようにヘッド部を配置した状態における上下方向を上下方向Ｚとして説明する。また、電気かみそりのスイッチ部が設けられている側を前後方向Ｘ前方として説明する。
【００１６】
また、以下の複数の実施形態には、同様の構成要素が含まれている。よって、以下では、それら同様の構成要素には共通の符号を付与するとともに、重複する説明を省略する。
【００１７】
（第１実施形態）
本実施形態にかかる電気かみそり１は、図１に示すように、使用者が把持するグリップ部２と、グリップ部２に連結されるヘッド部３とを備えている。
【００１８】
グリップ部２には、電気かみそり１を動作させる（電源をオン、オフさせる）押圧式のスイッチ２１が設けられている。このスイッチ２１として、本実施形態では押圧式のものを例示したが、オン・オフできるスイッチであればスライド式やその他のスイッチであってもよい。また、本実施形態では、スイッチ２１は、電気かみそり１の前面（正面）に形成されている。なお、前面とは、通常の使用時に、使用者が電気かみそり１のグリップ部２を把持した状態で、使用者と対向する側の面のことである。
【００１９】
ヘッド部３は、グリップ部２に取り付けられるヘッド本体３１と、ヘッド本体３１に着脱自在に装着される刃ヘッドハウジング３２とを備えている。
【００２０】
刃ヘットハウジング３２には、使用者の肌表面Ｓから延びる体毛（図示せず）を処理する刃部４と、この刃部４に隣接して設けられる回転体としてのローラ１０とが取り付けられている。また、刃ヘットハウジング３２には、刃部４を動作させる駆動部（図示せず）が内蔵されている。
【００２１】
刃部４は、図２に示すように、ヘッド部３の上方に露出して肌表面Ｓに接触する複数の外刃４１と、それぞれの外刃４１の内方（外刃４１の下側）に配置される図示せぬ内刃とによって構成される。
【００２２】
外刃４１は、刃ヘッドハウジング３２に上下方向Ｚにフロート可能に固定されており、外刃４１の延在方向Ｙ（本実施形態では左右方向）と直交する直交方向（本実施形態では前後方向）に複数（５枚）並設されている。具体的には、外刃４１としてＸ方向手前側から奥側に向かって、第１のネット刃４１Ａ、第２のネット刃４１Ｂ、スリット刃４２、第３のネット刃４１Ｃおよび第４のネット刃４１Ｄが順に並設されている。
【００２３】
これらの第１〜第４のネット刃４１Ａ〜４１Ｄは、電気かみそり１をＹ方向（側面方向）から見た時に、上方が凸となるように直交方向Ｘに沿って逆Ｕ字状に湾曲形成されている。また、これら第１〜第４のネット刃４１Ａ〜４１Ｄは、電気かみそり１のＸ方向（正面方向）から見た時にも、中央部が若干上方に凸となるようにＹ方向に沿って湾曲形成されている（図３参照）。また、これら第１〜第４のネット刃４１Ａ〜４１Ｄには、体毛を取り込むための多数の刃穴（図示省略）が形成されている。
【００２４】
スリット刃４２は、先端が略平坦面となるように略逆Ｕ字状に折曲形成されており、このスリット刃４２にあっても平坦な上壁から側壁に亘って体毛を取り込むための多数のスリット（図示省略）が形成されている。
【００２５】
このような電気かみそり１では、外刃４１の刃穴やスリットに入り込んだ体毛を、図示省略した駆動部によって内刃を外刃４１に対してＹ方向に往復動させることにより、外刃４１と内刃との共働で切断するようになっている。つまり、この切断によって体毛が剃られることになる。
【００２６】
なお、本実施形態では、刃部４の外刃４１が第１〜第４のネット刃４１Ａ〜４１Ｄおよびスリット刃４２の５枚刃で構成された場合を例示したが、外刃４１の枚数は５枚に限ることなく、少なくとも１枚以上の外刃４１を備えていればよい。
【００２７】
また、刃ヘッドハウジング３２には、刃部４のＸ方向（前後方向）の両外方近傍、つまり、第１のネット刃４１ＡのＸ方向外側（前側）と第４のネット刃４１ＤのＸ方向外側（後側）にそれぞれローラ（回転体）１０が設けられている。
【００２８】
ローラ１０は、刃部４で体毛を剃る際に肌表面Ｓに接触しつつ回転して、肌表面Ｓとの摩擦を低減するものである。ローラ１０は、容易に変形しない材料、例えば、硬質プラスチックやセラミックス等で形成されることが好ましい。
【００２９】
本実施形態では、刃部４のＸ方向外側にそれぞれ設けられたローラ１０は、刃部４を挟んで略対称に配置されている。そして、刃部４を挟んで対となったローラ１０は、図２および図３に示すように、それぞれＹ方向に直列に複数設けられている。
【００３０】
複数個のローラ１０は、図４に示すように、各ローラ１０の中心部を相対回転自在に貫通した回転軸１１によって軸支持されている。つまり、各ローラ１０には中心孔（孔部）１０ｈが形成されており、その中心孔１０ｈに回転軸１１が僅かな隙間をもって挿通されることにより、各ローラ１０が回転自在となっている。なお、各ローラ１０に中心孔を設けず、各ローラ１０端面から回転軸を突設して当該回転軸を中心に回転させるようにしてもよい。
【００３１】
また、刃ヘッドハウジング３２のＸ方向両側で対向する両辺３２ａ、３２ｂには、ローラ１０を配置するのに十分な深さをもって凹設部３２ｃが設けられている。そして、この凹設部３２ｃにローラ１０が浮いた状態で配置されるとともに、回転軸１１の両端部が凹設部３２ｃを跨いで刃ヘッドハウジング３２に固定されている。
【００３２】
このローラ１０は、刃部４で体毛を剃る際に肌表面Ｓに接触しつつ回転することにより、刃部４を肌表面Ｓに沿って移動させる際に外刃４１と肌表面Ｓとの摩擦力を低減させる機能を有している。したがって、ローラ１０は、外刃４１よりも肌表面Ｓ側（Ｚ方向）に所定量突出して配置されている。このとき、図３に示すように、回転軸１１は、外刃４１のＹ方向に延在する先端形状に沿って緩やかに湾曲しており、その回転軸１１に軸支持された複数個のローラ１０は、外刃４１に対してＺ方向に一様に僅かに突出している。
【００３３】
このようなローラ１０を設けた電気かみそり１を用いて体毛を剃る際には、まず、ヘッド部３の刃部４を肌表面Ｓにあてがった後、深剃りするために刃部４を肌表面Ｓに押し付けることになる。すると、ローラ１０が肌表面Ｓに接触し、この状態で電気かみそり１を移動するとローラ１０は肌表面Ｓに沿って回転しつつ刃部４によって体毛が切断される。そして、このときのローラ１０の回転により、刃部４（図１参照）を移動させる際の摩擦力が低減されて移動抵抗を小さくすることができる。
【００３４】
ところで、ローラ１０を回転させるにあたって、回転軸１１が細ければ細い程、回転方向と逆向きに作用する転がり抵抗を小さくすることができ、ローラ１０をより円滑に回転させることができるようになる。ところが、回転軸１１を単に細くした場合には、刃部４の押し付け（押付力）に対する反力が部分的に作用して回転軸１１が撓んでしまう。
【００３５】
そのため、本実施形態では、図３に示すように、ローラ１０を支持する回転軸１１と刃ヘッドハウジング３２との間に、回転軸１１の撓みを抑制する支持部（撓み防止部）２０を設けている。この支持部２０は、本実施形態では刃ヘッドハウジング３２から一体に突設されている。そして、支持部２０はその先端部を回転軸１１に直接接触しつつ突き当てることにより、ローラ１０が肌表面Ｓに接触する側（上側）とは反対側（下側）から回転軸１１を支持するようになっている。
【００３６】
本実施形態では、支持部２０は、回転軸１１の軸方向（Ｙ方向）に複数設けられている。この場合、回転軸１１の軸方向略中央部を境として左右対称に配置するのが好適である。
【００３７】
ここで、本実施形態では、ローラ（回転体）１０が回転した際に、ローラ（回転体）１０の頂面１０ｂの最高点１０ａが回転軸１１方向に移動するようにした。
【００３８】
具体的には、ローラ（回転体）１０の形状を、断面楕円状の柱体の一端を回転軸１１を中心に他端に対して一回転（３６０°回転）するようにねじった形状となるようにした。すなわち、ローラ（回転体）１０の断面形状は、図４（ｂ）の状態で、回転軸１１の一端側から中央部に向かうにつれて、上下方向Ｚが長径となる楕円から前後方向Ｘが長径となる楕円、前後方向Ｘが長径となる楕円から上下方向Ｚが長径となる楕円となるように徐々に回転した楕円形状となる。そして、回転軸１１の中央部から他端に向かうにつれて、上下方向Ｚが長径となる楕円から前後方向Ｘが長径となる楕円、前後方向Ｘが長径となる楕円から上下方向Ｚが長径となる楕円となるように徐々に回転した楕円形状となる。ローラ（回転体）１０の形状を、かかる形状とすることで、ローラ（回転体）１０の頂面１０ｂの最高点１０ａは、図４（ｂ）の状態から９０°回転する間に、両端および中央部から両端部と中央部との中間部へと徐々に移動することとなる（図６（ｂ）参照）。
【００３９】
さらに、本実施形態では、１つのローラ１０に、当該ローラ１０が回転する際に、互いに逆方向に移動する複数の最高点１０ａが形成されている。具体的には、ローラ１０が回転する際に、互いに隣り合う最高点１０ａが、それぞれ逆方向に移動するようにローラ１０を形成している。例えば、ローラ１０が、図４（ｂ）の状態から９０°回転した際には、左端に位置する最高点１０ａは右側に移動し、中央に位置する最高点１０ａは左側に移動するようになっている。
【００４０】
また、本実施形態では、１つのローラ１０は、回転状態にかかわらず、頂面１０ｂの最高点１０ａが複数存在するように形成されている。すなわち、図４（ａ）の状態から図４（ｂ）の状態まで回転した際に、いずれの状態でも、頂面１０ｂの最高点１０ａが複数存在するように、１つのローラ１０を形成している。
【００４１】
さらに、本実施形態では、ローラ１０を同一方向に９０°回転させる度に、頂面１０ｂの最高点１０ａは、回転軸１１方向（Ｙ方向）で逆方向に移動するようになっている。具体的には、図６（ａ）に示す状態で、中央部に位置する最高点１０ａは、ローラ１０を９０°回転させると、回転軸１１方向両側に向けて徐々に移動しながら、両端部と中央部との中間部（両端から１／４ずつ中央側に移動した部位）まで移動する。その後、ローラ１０を同一方向にさらに９０°回転させると、両端部と中央部との中間部から逆方向に徐々に移動しながら中央部まで移動する。すなわち、中央部から右側に移動した最高点１０ａは左側に移動し、中央部から左側に移動した最高点１０ａは右側に移動する。
【００４２】
このように、本実施形態では、最高点１０ａは、同一方向に回転させると、左端から１／４中央側に移動した部位までの間、左端から１／４中央側に移動した部位から中央部までの間、右端から１／４中央側に移動した部位までの間、右端から１／４中央側に移動した部位から中央部までの間、の各区間で回転軸１１方向（Ｙ方向）に往復動するようになっている。そして、隣り合う区間では、最高点１０ａは互いに逆方向に移動するようになっている。
【００４３】
かかる構成のローラ１０を回転軸１１方向に複数設けた電気かみそり１を用いると、ローラ１０は以下のように作用する。なお、本実施形態では、複数のローラ１０は、図６（ａ）、（ｂ）に示すように、一体に回転している。
【００４４】
まず、ヘッド部３の刃部４を肌表面Ｓにあてがった後、刃部４を肌表面Ｓに押し付ける。すると、ローラ１０が肌表面Ｓに接触する。このとき、図６（ａ）に示す状態でローラ１０が肌表面Ｓに接触すると、中央部が頂面１０ｂの最高点１０ａとなっているため、当該中央部が肌表面Ｓに接触する。なお、図６（ａ）に示す状態では、回転軸１１方向両端も最高点１０ａとなっており、両端も肌表面Ｓに接触可能であるが、図６（ａ）では、両端が肌表面Ｓに接触していないものを例示した。
【００４５】
そして、ローラ１０の中央部を肌表面Ｓに接触させた状態で、電気かみそり１を移動するとローラ１０は肌表面Ｓに沿って回転する。このとき、ローラ１０は、図６（ａ）の状態から図６（ｂ）の状態へ、図６（ｂ）の状態から図６（ａ）の状態へと回転する。そして、このローラ１０の回転に伴って、頂面１０ｂの最高点１０ａが回転軸１１方向に移動し、肌表面Ｓが最高点１０ａの移動に追従して移動する。
【００４６】
このとき、最高点１０ａが互いに近づく方向に移動する場合には、肌表面Ｓは、ローラ１０によって摘まれるように移動し、最高点１０ａが互いに遠ざかる方向に移動する場合には、肌表面Ｓは、ローラ１０によって引き延ばされるように移動する。
【００４７】
このように、ローラ１０を回転させることによって、肌表面Ｓを撓ませたり引き延ばしたりすることで、体毛をより確実に短く剃ること（いわゆる、深剃り）ができるようになる。
【００４８】
以上、説明したように、本実施形態では、ローラ（回転体）１０が回転することで当該ローラ（回転体）１０の頂面１０ｂの最高点１０ａが回転軸１１方向に移動するようにしている。そのため、電気かみそり１使用時にローラ（回転体）１０が肌表面（肌）Ｓに当接して回転すると、ローラ（回転体）１０の肌表面（肌）Ｓとの当接部（頂面１０ｂの最高点１０ａ）が回転軸１１方向に移動し、肌表面（肌）Ｓが頂面１０ｂの最高点１０ａの移動に追従して回転軸１１方向に移動することとなる。このように、肌表面（肌）Ｓを回転軸１１方向に移動させるようにすれば、剃り方向（前後方向Ｘ）の摩擦抵抗が増大してしまうのを抑制しつつ、体毛を深剃りすることができる。すなわち、本実施形態によれば、よりスムースに深剃りすることができるようになる。
【００４９】
そして、ローラ（回転体）１０の回転に伴い最高点１０ａを互いに逆方向に移動させるようにすることで、肌表面Ｓを回転軸１１方向に撓ませたり引き延ばしたりすることができ、体毛をより確実に短く剃ること（いわゆる、深剃り）ができるようになる。
【００５０】
また、本実施形態によれば、ローラ（回転体）１０を複数設けているため、肌表面Ｓの撓みや引き延ばしを局所的に行うことができるようになり、より効果的に深剃りすることができるようになる。
【００５１】
また、本実施形態によれば、１つのローラ１０に、当該ローラ１０が回転する際に、互いに逆方向に移動する複数の最高点１０ａを形成している。そのため、１つのローラ１０に肌表面（肌）Ｓへの作用点を複数設けることができるため、体毛を起毛させる起毛力が増大し、体毛をより確実に短く剃ること（いわゆる、深剃り）ができるようになる。さらに、互いに逆方向に移動する最高点１０ａを設けているため、１つのローラ１０で肌表面Ｓを回転軸１１方向に撓ませたり引き延ばしたりすることができるようになり、体毛をより確実に短く剃ること（いわゆる、深剃り）ができるようになる。
【００５２】
なお、複数のローラ１０は、回転軸１１上で外刃４１の延在方向Ｙに対して移動できるように設けてもよい。こうすれば、複数のローラ１０は、肌表面Ｓに押し付けられた際に、外刃４１の延在方向Ｙに直交する直交方向Ｘに回転しながら、外刃４１の延在方向Ｙにも移動するようになる。つまり、複数のローラ１０は、肌表面Ｓの凹凸を平らにするように（引き延ばすように）、外刃４１の延在方向Ｙに移動することが可能となる。すなわち、複数のローラ１０の外刃４１の延在方向Ｙへの移動によっても、肌表面Ｓの凹凸を平らにする（引き延ばす）ことができるようになる。したがって、外刃４１と肌表面Ｓとの間の摩擦力を低減させつつ、体毛をより確実に短く剃ること（いわゆる、深剃り）ができるようになる。
【００５３】
また、複数のローラ１０を隣り合うローラ１０の間に隙間が形成されないように設けてもよい。こうすれば、複数のローラ１０が一体に回転することとなり、より広い範囲（Ｙ方向の幅が広い範囲）で、規則的に肌表面Ｓの撓みや引き延ばしを行うことができるようになる。
【００５４】
なお、複数のローラ１０を、それぞれ別個に回転できるように設けてもよいし、１つのローラ１０を用いるようにしてもよい。
【００５５】
（第２実施形態）
本実施形態にかかる電気かみそり１は、基本的に上記第１実施形態の電気かみそり１と同様の構成を備えている。
【００５６】
すなわち、本実施形態にかかる電気かみそり１は、使用者が把持するグリップ部２と、グリップ部２に連結されるヘッド部３とを備えている。
【００５７】
また、ヘッド部３の刃ヘットハウジング３２には、使用者の肌表面Ｓから延びる体毛（図示せず）を処理する刃部４と、この刃部４に隣接して設けられる回転体としてのローラ１０Ａとが取り付けられている。
【００５８】
そして、ローラ１０Ａは、ローラ１０Ａが回転した際に、ローラ１０Ａの頂面１０ｂの最高点１０ａが回転軸１１方向に移動するようになっている。
【００５９】
また、本実施形態においても、ローラ１０Ａは複数設けられており、１つのローラ１０Ａに、当該ローラ１０Ａが回転する際に、互いに逆方向に移動する複数の最高点１０ａを形成している。
【００６０】
ここで、本実施形態にかかる電気かみそり１が、上記第１実施形態の電気かみそり１と主に異なる点は、ローラ１０Ａの形状が異なっている点にある。
【００６１】
本実施形態では、ローラ１０Ａは、図７〜図９に示すように、円柱状の棒体を略Ｖ字状に折り曲げたような形状をしている。
【００６２】
そして、このような形状のローラ１０Ａを、図７（ｂ）における上端と下端との中点を通る軸を中心軸１１として回転させるようにすることで、ローラ１０Ａが回転した際に、ローラ１０Ａの頂面１０ｂの最高点１０ａが回転軸１１方向に移動するようにしている。
【００６３】
本実施形態では、１つのローラ１０Ａは、Ｘ方向（回転軸１１と直交する方向）から視た形状が、回転軸１１に対して非対称となっている。
【００６４】
このような形状のローラ１０Ａを回転させると、同一方向に１８０°回転させる度に、頂面１０ｂの最高点１０ａは、回転軸１１方向（Ｙ方向）で逆方向に移動することとなる。具体的には、図９（ａ）に示す状態で、両端部に位置する最高点１０ａは、ローラ１０Ａを１８０°回転させると、回転軸１１方向中央側に向けて徐々に移動する。その後、ローラ１０Ａを同一方向にさらに１８０°回転させると、中央部から逆方向に徐々に移動しながら両端部まで移動する。すなわち、右端から左側に移動した最高点１０ａは中央部から右側に移動し、左端から右側に移動した最高点１０ａは中央部から左側に移動する。
【００６５】
このように、本実施形態では、最高点１０ａは、同一方向に回転させると、左端から中央部、右端から中央部までの間の各区間で回転軸１１方向（Ｙ方向）に往復動するようになっている。このとき、隣り合う区間では、最高点１０ａは互いに逆方向に移動するようになっている。
【００６６】
かかる構成のローラ１０Ａを回転軸１１方向に複数設けた電気かみそり１を用いると、ローラ１０Ａは以下のように作用する。なお、本実施形態では、複数のローラ１０Ａは、図９（ａ）、（ｂ）に示すように、中央部が同一の方向を向いた状態で一体に回転している。
【００６７】
まず、ヘッド部３の刃部４を肌表面Ｓにあてがった後、刃部４を肌表面Ｓに押し付ける。すると、ローラ１０Ａが肌表面Ｓに接触する。このとき、図９（ａ）に示す状態でローラ１０Ａが肌表面Ｓに接触すると、両端部が頂面１０ｂの最高点１０ａとなっているため、当該両端部が肌表面Ｓに接触する。なお、図９（ａ）では、２つのローラ１０Ａの互いに隣り合う端部が肌表面Ｓに接触し、逆側の端部が肌表面Ｓに接触していないものを例示したが、逆側の端部も肌表面Ｓに接触することが可能である。
【００６８】
そして、ローラ１０Ａの両端部を肌表面Ｓに接触させた状態で、電気かみそり１を移動するとローラ１０Ａは肌表面Ｓに沿って回転する。このとき、ローラ１０Ａは、図９（ａ）の状態から図９（ｂ）の状態へ、図９（ｂ）の状態から図９（ａ）の状態へと回転する。そして、このローラ１０Ａの回転に伴って、頂面１０ｂの最高点１０ａが回転軸１１方向に移動し、肌表面Ｓが最高点１０ａの移動に追従して移動する。
【００６９】
このとき、最高点１０ａが互いに近づく方向に移動する場合には、肌表面Ｓは、ローラ１０Ａによって摘まれるように移動し、最高点１０ａが互いに遠ざかる方向に移動する場合には、肌表面Ｓは、ローラ１０Ａによって引き延ばされるように移動する。
【００７０】
このように、ローラ１０Ａを回転させることによって、肌表面Ｓを撓ませたり引き延ばしたりすることで、体毛をより確実に短く剃ること（いわゆる、深剃り）ができるようになる。
【００７１】
以上、説明したように、本実施形態によっても、上記第１実施形態とほぼ同様の作用、効果を奏することができる。
【００７２】
また、本実施形態によれば、１つのローラ１０ＡのＸ方向（回転軸１１と直交する方向）から視た形状を、回転軸１１に対して非対称としている。このように、１つのローラ１０Ａの形状を回転軸１１に対して非対称とすることで、ローラ１０Ａを３６０°回転させる度に、ローラ１０Ａの所定の部位が最高点１０ａとなる。
【００７３】
ところで、上記第１実施形態では、ローラ１０のＸ方向から視た形状が回転軸１１に対して対称となっており、１８０°回転させる度にローラ１０の所定の部位が最高点１０ａとなるように形成されている。
【００７４】
そのため、上記第１実施形態のローラ１０に比べて、ローラ１０Ａの所定の部位が最高点１０ａとなる周期を遅くすることが可能となる。
【００７５】
特に、回転に応じて最高点１０ａの移動方向が変化する場合には、移動方向の変化時に肌表面Ｓに作用する力が変化することとなる。そのため、所定の部位が最高点１０ａとなる周期が遅くなるほど、一回転する際に作用する力の変化を少なくすることができ、電気かみそり１の使用時における刃部４と肌表面Ｓとの間の摩擦抵抗の増大を抑制することができる。
【００７６】
すなわち、本実施形態によれば、上記第１実施形態に比べて、よりスムースに深剃りすることができるようになるという利点がある。
【００７７】
なお、複数のローラ１０Ａを、それぞれ別個に回転できるように設けてもよいし、１つのローラ１０Ａを用いるようにしてもよい。
【００７８】
（第３実施形態）
本実施形態にかかる電気かみそり１は、基本的に上記第２実施形態の電気かみそり１と同様の構成を備えている。
【００７９】
すなわち、本実施形態にかかる電気かみそり１は、使用者が把持するグリップ部２と、グリップ部２に連結されるヘッド部３とを備えている。
【００８０】
また、ヘッド部３の刃ヘットハウジング３２には、使用者の肌表面Ｓから延びる体毛（図示せず）を処理する刃部４と、この刃部４に隣接して設けられる回転体としてのローラ１０Ｂとが取り付けられている。
【００８１】
そして、ローラ１０Ｂは、ローラ１０Ｂが回転した際に、ローラ１０Ｂの頂面１０ｂの最高点１０ａが回転軸１１方向に移動するようになっている。
【００８２】
ここで、本実施形態にかかる電気かみそり１が、上記第２実施形態の電気かみそり１と主に異なる点は、ローラ１０Ｂの形状が異なっている点にある。
【００８３】
本実施形態では、図１０〜図１２に示すように、１つのローラ１０Ｂの表面に螺旋溝１０ｃを形成している。
【００８４】
そして、螺旋溝１０ｃを、ローラ１０ＢのＹ方向中央部に位置する面（回転軸１１方向と交差する面）Ｐに対して鏡面対称となるように形成している。かかる形状とすることで、ローラ１０Ｂが回転した際には、ローラ１０Ｂの頂面１０ｂの最高点１０ａが回転軸１１方向に移動するようになる。
【００８５】
このような形状のローラ１０Ｂを回転させると、同一方向に１８０°回転させる度に、頂面１０ｂの最高点１０ａは、回転軸１１方向（Ｙ方向）で同方向に移動することとなる。具体的には、図１２（ａ）に示す状態で、複数存在する最高点１０ａは、ローラ１０Ｂを１８０°回転させると、回転軸１１方向外側に向けて徐々に移動する。その後、ローラ１０Ｂを同一方向にさらに１８０°回転させた場合も、回転軸１１方向外側に向けて徐々に移動して、図１２（ａ）に示す状態に戻る。すなわち、最高点１０ａは、中央部の面Ｐを境に、左右両側にそれぞれ移動する。
【００８６】
かかる構成のローラ１０Ｂを回転軸１１方向に設けた電気かみそり１を用いると、ローラ１０Ｂは以下のように作用する。
【００８７】
まず、ヘッド部３の刃部４を肌表面Ｓにあてがった後、刃部４を肌表面Ｓに押し付ける。すると、ローラ１０Ｂが肌表面Ｓに接触する。このとき、図１２（ａ）に示す状態でローラ１０Ｂが肌表面Ｓに接触すると、頂面１０ｂの複数の最高点１０ａが肌表面Ｓに接触する。
【００８８】
そして、ローラ１０Ｂの最高点１０ａを肌表面Ｓに接触させた状態で、電気かみそり１を移動するとローラ１０Ｂは肌表面Ｓに沿って回転する。このとき、ローラ１０Ｂは、図１２（ａ）の状態から図１２（ｂ）の状態へ、図１２（ｂ）の状態から図１２（ａ）の状態へと回転する。そして、このローラ１０Ｂの回転に伴って、頂面１０ｂの最高点１０ａが回転軸１１方向外側に移動し、肌表面Ｓが最高点１０ａの移動に追従して移動する。
【００８９】
したがって、本実施形態では、肌表面Ｓは、ローラ１０Ｂによって引き延ばされるように移動する。
【００９０】
このように、ローラ１０Ｂを回転させて肌表面Ｓを引き延ばすことで、体毛をより確実に短く剃ること（いわゆる、深剃り）ができるようになる。
【００９１】
以上、説明したように、本実施形態によっても、上記第２実施形態とほぼ同様の作用、効果を奏することができる。
【００９２】
また、本実施形態によれば、１つのローラ１０Ｂの表面に螺旋溝１０ｃを形成している。
【００９３】
そして、螺旋溝１０ｃを、ローラ１０ＢのＹ方向中央部に位置する面（回転軸１１方向と交差する面）Ｐに対して鏡面対称となるように形成している。
【００９４】
そのため、ローラ１０Ｂを回転させた場合に、最高点１０ａが一方向に移動することとなる。このように、最高点１０ａの移動方向を一方向に特化することで肌表面Ｓにより大きな力を作用させることができるため、体毛をより確実に短く剃ること（いわゆる、深剃り）ができるようになる。
【００９５】
なお、刃部４の幅とほぼ同程度の長さの１つのローラ１０Ｂを用いるようにしてもよいし、複数のローラ１０ＢをＹ方向に並設するようにしてもよい。複数のローラ１０ＢをＹ方向に並設する場合、複数のローラ１０Ｂを一体に回転させるようにしてもよいし、別個に回転させるようにしてもよい。
【００９６】
また、刃部４の前側のローラ１０Ｂと刃部４の後側のローラ１０Ｂとを、それぞれ刃部側に回転した際に、頂面１０ｂの最高点１０ａが回転軸１１方向外側に移動するように設けるのが好ましい。こうすれば、前側から剃った場合だけでなく後側から剃った場合にも、ローラ１０Ｂを回転させることで肌表面Ｓを引き延ばすことができるようになる。
【００９７】
（第４実施形態）
本実施形態にかかる電気かみそり１は、基本的に上記第２実施形態の電気かみそり１と同様の構成を備えている。
【００９８】
すなわち、本実施形態にかかる電気かみそり２は、使用者が把持するグリップ部２と、グリップ部２に連結されるヘッド部３とを備えている。
【００９９】
また、ヘッド部３の刃ヘットハウジング３２には、使用者の肌表面Ｓから延びる体毛（図示せず）を処理する刃部４と、この刃部４に隣接して設けられる回転体としてのローラ１０Ｃとが取り付けられている。
【０１００】
そして、ローラ１０Ｃは、ローラ１０Ｃが回転した際に、ローラ１０Ｃの頂面１０ｂの最高点１０ａが回転軸１１方向に移動するようになっている。
【０１０１】
また、本実施形態においても、ローラ１０Ｃは複数設けられている。
【０１０２】
ここで、本実施形態にかかる電気かみそり１が、上記第２実施形態の電気かみそり１と主に異なる点は、ローラ１０Ｃの形状が異なっている点にある。
【０１０３】
本実施形態では、ローラ１０Ｃは、図１３〜１５に示すように、３つの斜円柱を上下方向Ｚにオフセットさせたような形状をしている。このローラ１０Ｃは、一体成形により形成することも可能であるし、斜円柱を接着などにより接着させることで形成することも可能である。
【０１０４】
そして、このような形状のローラ１０Ｃを、図１３（ｂ）における上端と下端との中点を通る軸を中心軸１１として回転させるようにすることで、ローラ１０Ｃが回転した際に、ローラ１０Ｃの頂面１０ｂの最高点１０ａが回転軸１１方向に移動するようにしている。
【０１０５】
本実施形態では、１つのローラ１０Ｃは、Ｘ方向（回転軸１１と直交する方向）から視た形状が、回転軸１１に対して非対称となっている。
【０１０６】
このような形状のローラ１０Ｃを回転させると、同一方向に１８０°回転させる度に、頂面１０ｂの最高点１０ａは、回転軸１１方向（Ｙ方向）で逆方向に移動することとなる。具体的には、図１３（ｂ）に示す状態で、各ブロックの左端に位置する最高点１０ａは、ローラ１０Ｃを１８０°回転させると、回転軸１１方向右側に向けて徐々に移動する。その後、ローラ１０Ｃを同一方向にさらに１８０°回転させると、各ブロックの右端から左側に徐々に移動しながら左端まで移動する。
【０１０７】
このように、本実施形態では、最高点１０ａは、同一方向に回転させると、各ブロックの左端から右端の間で回転軸１１方向（Ｙ方向）に往復動するようになっている。このとき、各ブロックの最高点１０ａは互いに同方向に移動するようになっている。
【０１０８】
かかる構成のローラ１０Ｃを回転軸１１方向に複数設けた電気かみそり１を用いると、ローラ１０Ｃは以下のように作用する。なお、本実施形態では、複数のローラ１０Ｃは、図１５（ａ）、（ｂ）に示すように、互いに隣り合うローラ１０Ｃが逆方向に傾斜するように配置した状態で一体に回転している。
【０１０９】
まず、ヘッド部３の刃部４を肌表面Ｓにあてがった後、刃部４を肌表面Ｓに押し付ける。すると、ローラ１０Ｃが肌表面Ｓに接触する。このとき、図１５（ａ）に示す状態でローラ１０Ｃが肌表面Ｓに接触すると、右側のローラ１０Ｃは各ブロックの右端が頂面１０ｂの最高点１０ａとなっており、左側のローラ１０Ｃは各ブロックの左端が頂面１０ｂの最高点１０ａとなっているため、それぞれの右端と左端が肌表面Ｓに接触する。
【０１１０】
そして、各ローラ１０Ｃの右端および左端を肌表面Ｓに接触させた状態で、電気かみそり１を移動するとローラ１０Ｃは肌表面Ｓに沿って回転する。このとき、ローラ１０Ｃは、図１５（ａ）の状態から図１５（ｂ）の状態へ、図１５（ｂ）の状態から図１５（ａ）の状態へと回転する。そして、このローラ１０Ｃの回転に伴って、頂面１０ｂの最高点１０ａが回転軸１１方向に移動し、肌表面Ｓが最高点１０ａの移動に追従して移動する。
【０１１１】
このとき、最高点１０ａが互いに近づく方向に移動する場合には、肌表面Ｓは、ローラ１０Ｃによって摘まれるように移動し、最高点１０ａが互いに遠ざかる方向に移動する場合には、肌表面Ｓは、ローラ１０Ｃによって引き延ばされるように移動する。
【０１１２】
このように、ローラ１０Ｃを回転させることによって、肌表面Ｓを撓ませたり引き延ばしたりすることで、体毛をより確実に短く剃ること（いわゆる、深剃り）ができるようになる。
【０１１３】
以上、説明したように、本実施形態によっても、上記第２実施形態とほぼ同様の作用、効果を奏することができる。
【０１１４】
なお、複数のローラ１０Ｃを、それぞれ別個に回転できるように設けてもよいし、１つのローラ１０Ｃを用いるようにしてもよい。
【０１１５】
（第５実施形態）
本実施形態にかかる電気かみそり１は、基本的に上記第４実施形態の電気かみそり１と同様の構成を備えている。
【０１１６】
すなわち、本実施形態にかかる電気かみそり１は、使用者が把持するグリップ部２と、グリップ部２に連結されるヘッド部３とを備えている。
【０１１７】
また、ヘッド部３の刃ヘットハウジング３２には、使用者の肌表面Ｓから延びる体毛（図示せず）を処理する刃部４と、この刃部４に隣接して設けられる回転体としてのローラ１０Ｄとが取り付けられている。
【０１１８】
そして、ローラ１０Ｄは、ローラ１０Ｄが回転した際に、ローラ１０Ｄの頂面１０ｂの最高点１０ａが回転軸１１方向に移動するようになっている。
【０１１９】
また、本実施形態においても、ローラ１０Ｄは複数設けられている。
【０１２０】
ここで、本実施形態にかかる電気かみそり１が、上記第４実施形態の電気かみそり１と主に異なる点は、ローラ１０Ｄの形状が異なっている点にある。
【０１２１】
本実施形態では、１つのローラ１０Ｄの頂面１０ｂは、回転軸１１方向一端（図１６（ｂ）の左側）を最高点１０ａとした状態で、回転軸方向他端側（図１６（ｂ）の右側）に向かうにつれて徐々に高さが低くなるようになっている。
【０１２２】
具体的には、ローラ１０Ｃの１つのブロックをローラ１０Ｄとしている。すなわち、ローラ１０Ｄは、図１６〜図１８に示すように、斜円柱状をしている。
【０１２３】
そして、このような形状のローラ１０Ｄを、図１６（ｂ）における上端と下端との中点を通る軸を中心軸１１として回転させるようにすることで、ローラ１０Ｄが回転した際に、ローラ１０Ｄの頂面１０ｂの最高点１０ａが回転軸１１方向に移動するようにしている。
【０１２４】
本実施形態では、１つのローラ１０Ｄは、Ｘ方向（回転軸１１と直交する方向）から視た形状が、回転軸１１に対して非対称となっている。
【０１２５】
このような形状のローラ１０Ｄを回転させると、同一方向に１８０°回転させる度に、頂面１０ｂの最高点１０ａは、回転軸１１方向（Ｙ方向）で逆方向に移動することとなる。具体的には、図１８（ａ）に示す状態で、左端に位置する最高点１０ａは、ローラ１０Ｃを１８０°回転させると、回転軸１１方向右側に向けて徐々に移動する。その後、ローラ１０Ｃを同一方向にさらに１８０°回転させると、右端から左側に徐々に移動しながら左端まで移動する。
【０１２６】
このように、本実施形態では、最高点１０ａは、同一方向に回転させると、左端から右端の間で回転軸１１方向（Ｙ方向）に往復動するようになっている。
【０１２７】
かかる構成のローラ１０Ｄを回転軸１１方向に複数設けた電気かみそり１を用いると、ローラ１０Ｄは以下のように作用する。なお、本実施形態では、複数のローラ１０Ｄは、図１８（ａ）、（ｂ）に示すように、互いに隣り合うローラ１０Ｄが逆方向に傾斜するように配置した状態で一体に回転している。
【０１２８】
まず、ヘッド部３の刃部４を肌表面Ｓにあてがった後、刃部４を肌表面Ｓに押し付ける。すると、ローラ１０Ｄが肌表面Ｓに接触する。このとき、図１８（ａ）に示す状態でローラ１０Ｄが肌表面Ｓに接触すると、右端または左端が頂面１０ｂの最高点１０ａとなっているため、右端または左端が肌表面Ｓに接触する。
【０１２９】
そして、ローラ１０Ｄの両端部を肌表面Ｓに接触させた状態で、電気かみそり１を移動するとローラ１０Ｄは肌表面Ｓに沿って回転する。このとき、ローラ１０Ｄは、図１８（ａ）の状態から図１８（ｂ）の状態へ、図１８（ｂ）の状態から図１８（ａ）の状態へと回転する。そして、このローラ１０Ｄの回転に伴って、頂面１０ｂの最高点１０ａが回転軸１１方向に移動し、肌表面Ｓが最高点１０ａの移動に追従して移動する。
【０１３０】
このとき、最高点１０ａが互いに近づく方向に移動する場合には、肌表面Ｓは、ローラ１０Ａによって摘まれるように移動し、最高点１０ａが互いに遠ざかる方向に移動する場合には、肌表面Ｓは、ローラ１０Ａによって引き延ばされるように移動する。
【０１３１】
このように、ローラ１０Ｄを回転させることによって、肌表面Ｓを撓ませたり引き延ばしたりすることで、体毛をより確実に短く剃ること（いわゆる、深剃り）ができるようになる。
【０１３２】
以上、説明したように、本実施形態によっても、上記第４実施形態とほぼ同様の作用、効果を奏することができる。
【０１３３】
また、本実施形態によれば、１つのローラ１０Ｄの頂面１０ｂを、回転軸１１方向一端（図１６（ｂ）の左側）を最高点１０ａとした状態で、回転軸方向他端側（図１６（ｂ）の右側）に向かうにつれて徐々に高さが低くなるようにしている。すなわち、Ｘ方向から視た際に、１つのローラ１０Ｄの頂面１０ｂにＶ字が形成されないようにしている。
【０１３４】
ところで、上記第４実施形態のように、ローラ１０Ｃの形状を３つの斜円柱を上下方向Ｚにオフセットさせたような形状とすると、頂面１０ｂには、例えば、左端の頂点と中央の頂点との間にＶ字が形成される。
【０１３５】
このように、頂面１０ｂにＶ字が形成されると、Ｖ字の頂点部分に応力が集中してローラ１０Ｃが破損してしまうおそれがある。
【０１３６】
これに対して、本実施形態では、１つのローラ１０Ｄの頂面１０ｂにＶ字が形成されないようにしている。そのため、ローラ１０Ｄに応力が集中してしまうのを抑制することができる。その結果、ローラ１０Ｄが破損してしまうのを抑制することができ、ローラ１０Ｄの長寿命化を図ることができる。
【０１３７】
以上、本発明の好適な実施形態について説明したが、本発明は上記実施形態には限定されず、種々の変形が可能である。
【０１３８】
例えば、上記第４および第５実施形態では、斜円柱を用いたものを例示したが、断面が楕円となる斜楕円柱を用いることも可能である。
【０１３９】
また、刃部やヘッド部その他細部のスペック（形状、大きさ、レイアウト等）も適宜に変更可能である。
【符号の説明】
【０１４０】
１  電気かみそり
４  刃部
１０，１０Ａ，１０Ｂ，１０Ｃ，１０Ｄ  ローラ（回転体）
１０ａ  最高点
１０ｂ  頂面
１０ｃ  螺旋溝
１１  回転軸
Ｐ  面（回転軸方向と交差する面）
【図１】
2014023742.tif 000003
【図２】
2014023742.tif 000004
【図３】
2014023742.tif 000005
【図４】
2014023742.tif 000006
【図５】
2014023742.tif 000007
【図６】
2014023742.tif 000008
【図７】
2014023742.tif 000009
【図８】
2014023742.tif 000010
【図９】
2014023742.tif 000011
【図１０】
2014023742.tif 000012
【図１１】
2014023742.tif 000013
【図１２】
2014023742.tif 000014
【図１３】
2014023742.tif 000015
【図１４】
2014023742.tif 000016
【図１５】
2014023742.tif 000017
【図１６】
2014023742.tif 000018
【図１７】
2014023742.tif 000019
【図１８】
2014023742.tif 000020